(57)【要約】【課題】  戸体に設けたガイド片が係合するガイド溝を備えた下枠体において、ガイド溝の溝幅を小さくしながら、掃除がしやすくなるように構成する。【解決手段】  パネル体３を連結する中間框材１０と、左右の端框材１１、１２の下端部から下方に突出するガイド片１４を設ける一方、該ガイド片１４が係合するガイド溝Ｈを、下枠体６に形成される溝幅の大きい凹部６ａの屋内側の溝側片６ｆに沿って、可撓性を有した長尺状の埋め込み材１６を着脱自在に埋め込んで構成し、埋め込み材１６を取外すことにより、溝幅を広くして掃除がしやすくなるように構成する。【選択図】        図７
2005133372.tif 000002
【特許請求の範囲】
【請求項１】
戸体の下端縁から突出するガイド片を係合する凹状のガイド溝が形成された下枠体を備えてなる開閉戸用枠体において、前記ガイド溝は、下枠体に形成される溝幅の大きい凹部の一方の溝側面に沿って、可撓性を有した長尺状の埋め込み材を着脱自在に埋め込んで、凹部溝幅よりも小さくなるように構成されている開閉戸用枠体。
【請求項２】
請求項１において、埋め込み材は、上端面が下枠体の開口端面と面一状に形成されている開閉戸用枠体。
【請求項３】
請求項１または２において、埋め込み材は、凹部溝底面に少なくとも一つ形成された係合突起に嵌着する係合凹部が形成されている開閉戸用枠体。
【請求項４】
請求項３において、係合突起と係合凹部のあいだには、上下方向の抜け止めをするため係止手段が形成されている開閉戸用枠体。
【発明の詳細な説明】
【技術分野】
【０００１】
本発明は、開口部の開閉をする自動ドア、折畳み戸、引き戸等の各種戸体が開閉自在に嵌め込まれる開閉戸用枠体の技術分野に属するものである。
【背景技術】
【０００２】
一般に、開口部を開閉する戸体のなかには、戸体の下端縁にガイド片を突出形成する一方、開口部に設けた四周枠体の下枠体に凹状のガイド溝を形成し、前記ガイド片をガイド溝に係合させることで、戸体がガイド溝による移動案内を受けるように構成したものがある。このようなものにおいて、ガイド溝は、戸体に風圧が作用しても戸体がガイド溝から外れないよう、適宜の溝深さが必要となるとともに、溝幅をガイド片が丁度入る程度の大きさにする必要がある。一方、ガイド溝には、ゴミや埃、あるいは、土砂や雨水等が溜りやすくガイド溝内の掃除が必要となるが、溝深さが深く、かつ、溝幅が狭められているとガイド溝の掃除がやりにくく、土砂や埃等がガイド溝に溜ってしまうことがあり、このようになると、ガイド片の走行（通過）が阻害され円滑な戸体の開閉作動ができなくなってしまうという問題があった。
【０００３】
この改善策として、下枠体に溝幅の大きい凹部を形成し、該凹部の一側面に沿って金属製の目板部材を設け、掃除に際しては目板部材を取外すように構成したものが提唱されている。
【特許文献１】特許第３３２９１４号公報
【発明の開示】
【発明が解決しようとする課題】
【０００４】
ところが、前記従来のものは、屋外用サッシ窓の下枠体に設けられたものであって、目板部材は剛性の金属材で形成されており変形することがなく、戸体を開放した状態で、下枠体の開放相当部位における目板部材のみが取外せる構成となっている。このため、ガイド溝の開閉方向中間部の目板部材を取外すことができないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、戸体の下端縁から突出するガイド片を係合する凹状のガイド溝が形成された下枠体を備えてなる開閉戸用枠体において、前記ガイド溝は、下枠体に形成される溝幅の大きい凹部の一方の溝側面に沿って、可撓性を有した長尺状の埋め込み材を着脱自在に埋め込んで、凹部溝幅よりも小さくなるように構成されているものである。
そして、このようにすることにより、ガイド溝の溝幅が小さいものでありながら、掃除がしやすく、清潔な下枠体とすることができる。
請求項２の発明は、請求項１において、埋め込み材は、上端面が下枠体の開口端面と面一状に形成されているものであり、このようにすることにより、バリアフリーを実現することができる。
請求項３の発明は、請求項１または２において、埋め込み材は、凹部溝底面に少なくとも一つ形成された係合突起に嵌着する係合凹部が形成されているものであり、このようにすることにより、埋め込み材が不用意に外れてしまうようなことをなくすことができる。
請求項４の発明は、請求項３において、係合突起と係合凹部のあいだには、上下方向の抜け止めをするため係止手段が形成されているものであり、このようにすることにより、埋め込み材が不用意に外れてしまうようなことをなくすことができる。
【発明の効果】
【０００６】
請求項１の発明とすることにより、掃除がしやすく、清潔な下枠体を提供することができる。
請求項２の発明とすることにより、バリアフリーを実現することができる。
請求項３の発明とすることにより、埋め込み材が不用意に外れてしまうことがないようにできる。
請求項４の発明とすることにより、埋め込み材が不用意に外れてしまうことがないようにできる。
【発明を実施するための最良の形態】
【０００７】
次ぎに、本発明の実施の形態について、図１〜図８の各図面に基づいて説明する。
図面において、１は建築物の開口部に建て付けられた折り畳み式ドア装置であって、該折り畳み式ドア装置１は、開口部四周に設けられた矩形状のドア枠２に、複数（本実施の形態では四枚）のパネル体３の上下方向側縁部を揺動自在に連結して構成されたドア体４が吊持され、後述するように、各パネル体３がジグザグ状に折畳まれて開口部を開放する開放姿勢と、各パネル体３が左右方向に並列して開口部を閉鎖する閉鎖姿勢とに変姿するように構成されていることは、従来通りの構成となっている。
【０００８】
前記ドア枠２は、それぞれアルミ型材で構成された一対の左右枠体２ａ、２ｂ、および、一対の上下枠体５、６とを枠組することで構成されており、上枠体５には、屋内外方向に対向するレール部５ａが形成されており、該レール部５ａには、屋内外方向、および、レール長方向に対向する状態で都合四個のローラ７ａを備えたローラユニット７が転動自在に走行するように構成されている。尚、ローラユニット７は、一対のローラ７ａを軸承する支軸７ｂの二本が、レール長方向に並んで支架される本体部７ｃを備えて構成され、前記本体部７ｃの支軸７ｂ支架部のあいだには、パネル体３連結用の連結凹部７ｄが形成されている。
【０００９】
一方、ドア体４を構成するパネル体３は、本実施の形態では無色透明のガラス板材３ａと、該ガラス板材３ａの四周に一体的に固着されるアルミ型材で形成された上下の框材３ｂ、３ｃ、および、左右の框材８、９とを備えて構成されている。前記左右の框材８、９は、それぞれの左右端縁部のうち、一方の端縁部は屋内側に、他方の端縁部は屋外側において、互いに外方に突出する連結片部８ａ、９ａがそれぞれ上下方向一体に形成されている。これら連結片部８ａ、９ａは、隣接するパネル体３の連結片部９ａ、８ａとのあいだに中間框材１０を介して揺動自在に連結するように設定されており、連結片部８ａ、９ａは、所定の径を有した円弧状片に形成されている。一方、隣接するパネル体３間に配される中間框材１０は、屋内外何れか一方に左右框材連結片部８ａ、９ａとの揺動自在な連結をする円弧状片に形成された連結片部１０ａ、１０ｂが形成されている。そして、各パネル体３と中間框材１０とは、連結片部８ａと１０ａ、９ａと１０ｂ同志との連結部位が、中間框材１０を基準として屋内外何れかに変位し、かつ、連結部位が屋内外交互になる位置関係で配設されるように設定されている。
ここで、左右框材８、９と中間框材１０とのそれぞれ円弧状片で構成される各連結片部８ａ、９ａ、１０ａ、１０ｂは、互いに摺動することにより、中間框材１０の連結片部１０ａ、１０ｂ形成部位（屋内外何れかの端縁部）を基準として略９０度の揺動範囲を存して揺動するように設定されている。
【００１０】
そして、本実施の形態において、四枚のパネル体３は、図３に示すように、左側から一枚目と二枚目とのパネル体３のあいだ、そして、三枚目と四枚目とのパネル体３のあいだについては、左右框材８、９と中間框材１０とが屋内側において連結され、二枚目と三枚目とのパネル体３のあいだについては、左右框材８、９と中間框材１０とが屋外側において連結されるように設定されている。尚、一枚目と四枚目とのパネル体３の左右端部は、それぞれ左右の端框材１１、１２の連結片１１ａ、１２ａと、左右框材８、９の連結片部８ａ、９ａとのあいだについては、屋外側において揺動自在に連結されている。
このように連結されたドア体４において、前記屋外側に連結片部１０ａ、１０ｂが形成されている中間框材（二枚目、三枚目のパネル体３のあいだの中間框材）１０と、左右の端框材１１、１２の上端面には、連結ボルト１３が高さ調整自在な状態で上方に突設されており、該連結ボルト１３を、前記上枠体５に形成されたレール部５ａを走行するローラユニット７の本体部７ｃに形成の連結凹部７ｄに、抜け止め板７ｅを介して係止せしめることにより、ドア体４の上枠体レール部５ａへの連結がなされるように設定されている。
【００１１】
さらに、各パネル体３間に設けられる中間框材１０のうち、屋外側に連結片１０ａ、１０ｂが形成される中間框材１０であって、上端面にローラユニット７が連結される中間框材１０と、左右の端框材１１、１２の下端面からは、ガイド片１４が下方に突出して形成されている。そして、前記中間框材１０と左右の端框材１１、１２との連結ボルト１３をローラユニット７に連結するとともに、前記各ガイド片１４を、下枠体６に形成される後述のガイド溝Ｈに移動自在に遊嵌することで、ドア体４のドア枠２への取付けができるように設定されている。
【００１２】
そして、ドア体４を構成する右端框材１２に設けられたハンドル１５を把持し、左右方向に移動させることで、各パネル体３連結部の一つおきに連結されたローラユニット７のローラ７ａがレール部５ａを走行するとともに、ローラユニット７が連結される連結部の下方のガイド片１４がガイド溝Ｈにガイドされて左右方向に移動するように設定されている。これによって、ドア体４は、中間框材１０に対してパネル体３が左右隣接状に位置し、各パネル面が左右方向に並列してドア枠２内（開口部）を閉鎖する閉鎖姿勢と、各パネル体３が中間框材１０を基準としてそれぞれ略９０度揺動し、連結片１０ａ、１０ｂが屋内側に形成された中間框材１０が屋外側に突出し、その他の連結部が上下枠体５、６に位置する状態で各パネル体３がジグザグ状に折畳まれ、ドア枠２の左右何れか一方（本実施の形態では図１において左側）においてパネル面が直交状に並び、ドア枠２内を開放する開放姿勢とのあいだを変姿するように設定されている。
ここで、８ｂ、９ｂは、それぞれ連結片部８ａ、９ａに対して屋内外方向に対向する状態で左右框材８、９に設けられた緩衝材であって、ドア体４が閉鎖姿勢に変姿したとき、緩衝材８ｂ、９ｂが左右框材８、９と中間框材１０の左右側面とのあいだを塞ぐように設定されている。
【００１３】
さて、前記下枠体６は、長尺状に一体型成形されたものに構成されており、上方が開口する凹部６ａが長手方向一体に形成されている。前記凹部６ａの屋外側溝側面には、緩衝材（図示せず）が嵌着される取付け溝６ｂが形成されている一方、溝底片６ｃの屋内側部位には、凹部６ａの溝深さ寸法よりは短い（小さい）が、上方への突出量が長いものと短いものとの二つの第一、第二係合片６ｄ、６ｅがそれぞれ長手方向一体に形成されたものに構成されている。そして、前記凹部６ａの屋内側の溝側片６ｆと取付け溝６ｂの上側溝側片６ｇとの対向間で設定される凹部６ａの溝幅Ｗは、前記下方に突出するガイド片１４の屋内外方向寸法よりも大きいものに設定されており、例えば、掃除機の吸引口が遊嵌できる大きさ、あるいは、手指が遊嵌して楽に動かせる大きさに設定され、凹部６ａ内の掃除が行い易い大きさになっている。
【００１４】
１６は、凹部６ａの屋内側溝側片６ｆに沿って着脱自在に配される埋め込み材であって、該埋め込み材１６は、可撓性のある樹脂材で長尺状に形成されており、凹部６ａの屋内側部位に埋め込まれている。前記埋め込み材１６は、下面に、下枠体凹部溝底片６ｃから突出する第一、第二係合片６ｄ、６ｅに外嵌する第一、第二係合凹溝１６ａ、１６ｂとが長手方向一体に長く形成されている。さらに、これら第一係合凹溝１６ａの屋外側溝側面の下方部位には屋内側に突出する第一係止爪１６ｃが形成されている。また、第二係合凹溝１６ｂの屋内側溝側面の下方部位には、屋外側に突出する第二係止爪１６ｄが形成されている。一方、前記下枠体第一、第二係合片６ｄ、６ｅの上端部には、前記第一、第二係止爪１６ｃ、１６ｄに係合する第一、第二係止受け爪６ｈ、６ｉが形成されている。そして、埋め込み材１６は、第一、第二係合凹溝１６ａ、１６ｂの開口端部を、下枠体第一、第二係合片６ｄ、６ｅの上端部に対向せしめ、この状態で下方に押し込むことで、第一、第二係止爪１６ｃ、１６ｄが弾性変形する状態で埋め込み材１６が押し込まれ、下枠体凹部６ａの屋内側に沿って嵌着するように設定されている。そして、第一、第二係止爪１６ｃ、１６ｄと第一、第二係止受け爪６ｈ、６ｉとが上下方向に係合するまで押し込むことによって、埋め込み材１６は下枠体６からの抜け止めがなされた状態で嵌着されるように設定されており、該第一、第二係止爪１６ｃ、１６ｄと第一、第二係止受け爪６ｈ、６ｉとの係止が本発明の係止手段に相当している。
【００１５】
そして、このように埋め込み材１６を下枠体凹部６ａに対して嵌着することにより、凹部６ａの溝幅を狭くすることができ、この状態において、下枠体６の上端面と、埋め込み材１６の上端面とは、面一状になるように設定されており、これによって、下枠体６上を車椅子が走行するような場合であっても支障がないように構成されている。さらに、下枠体凹部６ａの取付け溝６ｂ部位と、埋め込み材１６とのあいだに形成される隙間がガイド溝Ｈに設定され、該ガイド溝Ｈに遊嵌するガイド片１４のガイドをするが、このガイド溝Ｈの溝幅は、埋め込み材１６を埋め込むことで凹部６ａ溝幅よりも小さいものになっており、本実施の形態では９ミリメートル（ｍｍ）に設定されている。これによって、バリアフリーに対する配慮がなされ、しかも、ガイド溝Ｈに例えば女性靴の細いヒール部分が入り込んでしまうような不具合についても解消できるように設定されている。そして、ガイド溝Ｈに溜った埃やゴミを掃除するときは、図８に示すように、例えばドライバーのような治具を用いて埋め込み材１６を変形させながら上方に持ち上げることにより、埋め込み材１６を簡単に下枠体凹部６ａから抜き出す（取外す）ことができるように構成されており、これによって、溝幅の広い凹部６ａ全体を露出させて掃除をすることにより、ガイド溝Ｈの掃除が簡単にできるように構成されている。
【００１６】
叙述の如く構成された本形態において、ドア体４は、複数のパネル体３の左右端縁部を連結してジグザグ状に折畳まれる状態で開口部の開放をする構成となっており、このようなドア体４の開閉作動時において、ドア体４の下方から突出するガイド片１４は、ドア枠２を構成する下枠体６に形成されるガイド溝Ｈを走行するが、ガイド溝Ｈは、下枠体６に形成される溝幅の広い凹部６ａに、屋内側溝側面に沿って可撓性を有した埋め込み材１６を埋め込むことにより溝幅を狭めた状態となっている。この結果、溝幅が狭くなってバリアフリーへの配慮、靴の踵が入り込んだりしないような配慮がなされ、このままの状態では掃除をしにくいガイド溝Ｈであるが、このものでは、下枠体６から埋め込み材１６を取外し、溝幅の広い凹部６ａを露出させることで、該部位の掃除を簡単、かつ、容易に行うことができる。しかも、この場合に、埋め込み材１６は可撓性のある部材で構成されているため、下枠体６から埋め込み材１６を取外す場合に、埋め込み材１６を湾曲させるように変形させることで、下枠材６の長手方向全長にわたって設けられている埋め込み材１６を全て凹部６ａから取外すことができる。この結果、ガイド溝Ｈを全長にわたって掃除することができて、衛生的、かつ、美観的にも優れたものとすることができる。
【００１７】
しかもこのものでは、下枠体６の上端面と埋め込み材１６の上端面とを略面一状として段差をなくしているので、バリアフリーに対する配慮も充分満たすことができる。
【００１８】
さらには、埋め込み材１６は、凹部溝底片６ｃに形成された係合片６ｄ、６ｅに対し、抜け止め手段を介した状態で嵌着される構成であるので、人の出入り等により埋め込み材１６が簡単に抜け出てしまうような不具合がない。
しかも、このものでは、埋め込み材１６は、第一係合片６ｄを基端部に至るまで嵌着されていりるので、該基端部近傍部位にゴミや汚れが溜るのを防止できることになり、掃除しにくいコーナー部となる第一係合片６ｄの掃除が容易で、清潔な状態を維持することができる。
【００１９】
尚、本発明は、前記実施の形態に限定されないことは勿論であって、埋め込み材は、下枠体の長さ方向と同寸法のものを用いることも可能であるが、長さ寸法によっては分割したものを用いることもできる。
さらには、図９に示す第二の実施の形態のようにすることもできる。
第二の実施の形態の下枠体１７は、凹部１７ａの屋内側溝側面に沿って埋め込み材１６が設けられていることは、前記第一の実施の形態と同様であり、このものでは、溝底片１７ｂに第一水抜き孔１７ｃが開設される一方、屋外側の側面１７ｄに第二水抜き孔１７ｅが形成されている。これによって、ガイド溝Ｈに溜った水を、第一水抜き孔１７ｃから第二水抜き孔１７ｅを経由して屋外側に排出できるように構成されている。尚、第二水抜き孔１７ｅには、排出する水を下方に向けて誘導する誘導パイプ１８が一体的に連結されている。
【図面の簡単な説明】
【００２０】
【図１】折り畳み式ドア装置の正面図である。
【図２】図２（Ａ）、（Ｂ）はそれぞれ折畳みしドア装置の開閉状態を説明する斜視図である。
【図３】ドア体の平面断面図である。
【図４】ドア体の側面断面図である。
【図５】ドア体の上枠体への取付け状態を説明する斜視図である。
【図６】下枠体を説明する分解斜視図である。
【図７】下枠体の側面断面図である。
【図８】埋め込み材を下枠体から取出す作動を説明する斜視図である。
【図９】図９（Ａ）、（Ｂ）はそれぞれ第二の実施の形態における下枠体を説明する一部切欠き斜視図、側面断面図である。
【符号の説明】
【００２１】
１    折り畳み式ドア装置
２    ドア枠
３    パネル体
４    ドア体
６    下枠体
６ａ    凹部
６ｄ    第一係合片
６ｈ    第一係止受け爪
７    ローラユニット
８    左框材
８ａ    連結片部
１０    中間框材
１２    左端框材
１４    ガイド片
１６    埋め込み材
１６ａ    第一係合凹溝
１６ｃ    第一係止爪
【図１】
2005133372.tif 000003
【図２】
2005133372.tif 000004
【図３】
2005133372.tif 000005
【図４】
2005133372.tif 000006
【図５】
2005133372.tif 000007
【図６】
2005133372.tif 000008
【図７】
2005133372.tif 000009
【図８】
2005133372.tif 000010
【図９】
2005133372.tif 000011